(57)【要約】【課題】  薄型映像装置を搭載してその表示する動態内容を展示することができるのみならず、絵画や写真を表示する額縁の機能をも兼ね備える薄型映像設備用フレーム装置を提供する。【解決手段】  本発明は、内部に収納空間１０を有し、前面に開口１１０を有し、且つ、収納空間１０内に静態的図像８を入れて開口１１０から当該静態的図像８を掲げることができる額縁のような、フレーム装置である。本発明において、収納空間１０は、薄型映像設備をその映像表示面が開口１１０に面するように入れられることができる。また、収納空間１０内には、薄型映像設備を載置してその映像を開口１１０外へ展示させるための保持手段２が設けられている。【選択図】  図２
2004260819.tif 000002
【特許請求の範囲】
【請求項１】
内部に収納空間を有し、前面に開口を有し、且つ、前記収納空間内に静態的図像を入れて前記開口から当該静態的図像を掲げることができる額縁のような、フレーム装置であって、
前記収納空間は、薄型映像設備をその映像表示面が前記開口に面するように入れられることができ、
前記収納空間内には、前記薄型映像設備を載置してその映像を前記開口外へ展示させるための保持手段が設けられている、ことを特徴とするフレーム装置。
【請求項２】
前記保持手段は、前記薄型映像設備と前記静態的図像とを前後並列して載置することができるように構成されている、ことを特徴とする請求項１に記載のフレーム装置。
【請求項３】
前記前面は、正当の位置から前方へ離脱するように開けられる枠体の外側表面からなっている、ことを特徴とする請求項２に記載のフレーム装置。
【請求項４】
前記収納空間内に付勢手段が設置されており、前記枠体が前記正当の位置にあるとき、前記保持手段を前記枠体に突っ張って保持することができることを特徴とする、請求項３に記載のフレーム装置。
【請求項５】
前記収納空間は、前記枠体と、当該枠体の外周縁に沿って後方に延びて後方に開口している囲い枠と、当該囲い枠に対して前記後方開口の少なくとも一部を遮蔽するように取り付けられている背板とにより囲まれて構成されており、
前記保持手段は、前記静態的図像を入れることができる額縁部と、前記収納空間の下方近くに設けられ且つ前記額縁部と前記薄型映像設備とを前後並列して載置することができる載置盤とを備え、
前記載置盤は、その左右両側が前記囲い枠の内周面に規制されていて前後方向の所定範囲内だけに移動可能になっている、ことを特徴とする請求項４に記載のフレーム装置。
【請求項６】
左右２つのリンク部材があり、当該２つのリンク部材の各々の一端は、前記載置盤の左右両側のうちの一方の側に枢設され、且つ、他端は前記枠体に枢接されており、
前記枠体が、前記２つのリンク部材の前記他端を中心として倒れて開けられて前記正当の位置から前方へ離脱したり、または、直立して閉められて前記正当の位置に復帰したりすると、前記２つのリンク部材の前記一端を介して前記載置盤を引っ張って前方へ移動させたり又は押して後方へ移動させることができる、ことを特徴とする請求項５に記載のフレーム装置。
【請求項７】
取付手段を更に備え、当該取付手段によって直立の平面上に設置されることができる、ことを特徴とする請求項６に記載のフレーム装置。
【請求項８】
前記額縁部は、その上方に開口が形成されていて当該開口を介して前記静態的図像を入れることができる、ことを特徴とする請求項６に記載のフレーム装置。
【請求項９】
前記額縁部は、その中に収納空間を有し且つ前面に開口を有し、当該前面開口から、当該額縁部の前記収納空間内にある静態的図像を観賞することができるものである、ことを特徴とする請求項８に記載のフレーム装置。
【請求項１０】
前記額縁部は、その中に収納空間を有し且つ前面が透明なものであり、当該透明な前面から、当該額縁部の前記収納空間内にある静態的図像を観賞することができるものである、ことを特徴とする請求項８に記載のフレーム装置。
【請求項１１】
前記取付手段はコ形のものを備え、当該コ形のものは、前後に延びている左右２つの保持部材と、当該左右２つの保持部材の後端と連接している取付部材とを有し、且つ、当該左右２つの保持部材の前端で前記囲い枠を左右両側から保持している、ことを特徴とする請求項１〜７のいずれか一項に記載のフレーム装置。
【請求項１２】
前記取付手段は更に取付板を備えており、前記取付部材が当該取付板に取り付けられていて当該取付板によって直立の平面上に設置されることができる、ことを特徴とする請求項１１に記載のフレーム装置。
【請求項１３】
前記コ形のものは、前記左右２つの保持部材の前端で前記囲い枠の左右両側と互いに枢接しており、前後揺動可能になっていることを特徴とする請求項１１に記載のフレーム装置。
【請求項１４】
前記左右２つの保持部材の前端は、前後方向の所定範囲内に伸縮可能に構成されている、ことを特徴とする請求項１１に記載のフレーム装置。
【請求項１５】
前記取付部材は、前記取付板の前面に対し、前後に延びている支持軸を介して、前記取付板と対面したまま左右回動することができるように軸支されており、前記取付板が直立の平面上に設置されているとき、前記取付部材の前記取付板に対する回動によって左右の高さが調整されることを特徴とする請求項１１に記載のフレーム装置。
【発明の詳細な説明】
【技術分野】
【０００１】
本発明は、フレーム装置に関し、より詳細には、動態内容を表示するタブレットＰＣやプラズマテレビ、液晶テレビなどの薄型映像設備を搭載することができ、且つ、薄型映像設備が搭載されていないときには、静態内容を表示する絵画や写真の額縁として使用することのできる、額縁を兼ねる薄型映像設備用フレーム装置に関する。
【背景技術】
【０００２】
近年、タブレットＰＣという薄型表示装置がかなり流行っている。このタブレットＰＣは、小型で軽量であるため携帯するのに便利であり、且つ、従来より進んだ機能、例えば画面上で直接入力できる手書き入力機能などが採用されていることによって、より強力で多彩なビジネスＰＣの能力やコンピューティング能力を発揮することができる。また、プラズマテレビや液晶テレビなどの薄型テレビも、近年よく注目される製品である。薄型テレビは、全体が薄型化されているので、どこに設置されても省スペースの利点と立派な視覚的効果がある。動態内容を表示するためのこれら薄型映像設備（タブレットＰＣ，プラズマテレビ，液晶テレビなど）については、その表示内容を多くの人に伝達するためには、取付用の機構（例えばフレーム装置など）によって所定箇所に設置されてその画面を皆に見せるのが好ましい。映像設備のための取付用機構については、例えば、下記の特許文献１に記載されている。従来のこのような取付用機構ないしフレーム装置の用途は、薄型映像設備の設置や搭載にあるが、薄型映像設備が搭載されていないときには、静態的内容を表示する絵画や写真の額縁として使用されることができれば実用性が大いに向上し得る。
【０００３】
【特許文献１】特開２００２−５７９２４号公報
【発明の開示】
【発明が解決しようとする課題】
【０００４】
上述の事情に鑑み、本発明は、薄型映像設備を搭載してその表示する動態内容を展示することができるのみならず、絵画や写真を展示する額縁の機能をも兼ね備える薄型映像設備用フレーム装置を提供することを、目的とする。
【課題を解決するための手段】
【０００５】
前記目的を達成すべく本発明により提供されるのは、内部に収納空間を有し、前面に開口を有し、且つ、前記収納空間内に静態的図像を入れて前記開口から当該静態的図像を掲げることができる額縁のような、フレーム装置である。このフレーム装置において、前記収納空間は、薄型映像設備をその映像表示面が前記開口に面するように入れられることができ、前記収納空間内には、前記薄型映像設備を載置してその映像を前記開口外へ展示させるための保持手段が設けられている。
【発明の効果】
【０００６】
前記構成を有するフレーム装置は、薄型映像設備用の取付機構として使用することができるのみならず、薄型映像設備が搭載されていないときには、絵画や写真の額縁として使用することができる。このように豊富な機能を有するフレーム装置は、例えば、薄型映像設備を収納することができるように従来の額縁を少々改造することによって、簡易に製造することができる。
【発明を実施するための最良の形態】
【０００７】
以下、本発明の好ましい実施形態を詳しく説明する。なお、以下の説明においては、そのサイズに拘わらず、略同一の機能および構成を有する構成要素については、同一符号を付し、重複説明は必要な場合にのみ行う。
【０００８】
まず、図１と図２に示すのは本発明のフレーム装置の第１の実施形態例である。この第１の実施形態例のフレーム装置は、全体の構成からみれば、通常の額縁のようであり、即ち、その内部には収納空間１０があって前面には開口１１０があり、前記収納空間１０内に絵画や写真などのような静態的図像８を入れて前記開口１１０から前記静態的図像８を掲げることができるものである。より詳細には、前記収納空間１０は、枠体１１と囲い枠１２と背板１３とにより囲まれて構成されているが、その大きさ、特にその奥行きの深さについては、薄型映像設備をその映像表示面が前記前面の開口１１０に面するように入れられ得る程度に有する。また、前記枠体１１は、正当の位置、即ち図１のような使用状態にある閉められた位置から、前方へ離脱するように開けられるものであるので、前記前面は当該枠体１１の外側表面からなっている。前記囲い枠１２は、当該枠体１１の外周縁に沿って後方に延伸して開口しているものである。前記背板１３は、当該囲い枠１２に前記後方開口を遮蔽するように取付られているものである。そして、前記枠体１１の外周縁に装飾枠１１２が取り付けられていて立派に見える。すなわち、装飾枠１１２は、枠体１１ひいては本フレーム装置の審美性を高める役割を担う。
【０００９】
また、図示のように、前記収納空間１０内には保持手段２が設けられている。当該保持手段２は、薄型映像設備９（例えば図４に示す）と静態的図像８とを前後並列して載置することができるように構成されているうえ、それらの映像または図像を前記開口１１０外へ展示させることができるように配置されている。当該保持手段２は、図４のように、前記静態的図像８を入れることができる額縁部２１と、前記収納空間１０の下方近くに設けられていて前記薄型映像設備９と当該額縁部２１とを前後並列して載置することができる載置盤２２とを備えている。
【００１０】
前記額縁部２１は、図５に示すようにその上方に開口２１１が形成されていてその中に収納空間があり、当該開口２１１を介して前記静態的図像８を当該収納空間に入れることができ、且つ、その前面に開口があり、当該前面開口から、前記収納空間内にある静態的図像８を観賞することができるものである。さらに、当該額縁部２１の左右両側には、図５に示すようにスライド溝２１２が形成されている。
【００１１】
前記載置盤２２は、その左右両側に支持軸２２１を有する。前記載置盤２２の左右両側は、前記囲い枠１２の内周面の下方に形成された案内溝１２１に対して当該支持軸２２１で規制支持されており、これにより、当該載置盤２２は、前後方向の所定範囲内だけに移動可能になっている（図３参照）。そして、前記囲い枠１２の内周面の上方には、左右２つの案内溝１２２が形成されており、前記額縁部２１の上部の左右両端が、当該案内溝１２２に対して前後方向の所定範囲内だけに移動可能に保持されている。そのため、前記枠体１１が正当の位置から離れたときに前記額縁部２１が前へ傾いて倒れる虞はない。
【００１２】
また、前記収納空間１０内には２対の付勢手段２３が設置されている。当該付勢手段２３は、それぞれ両端を有し、一端が前記背板１３に固定されて且つ他端が前記額縁部２１の前記スライド溝２１２に対して上下摺動可能であるように、設置されている。したがって、本フレーム装置においては、前記枠体１１が前記正当の位置にあるときに、当該付勢手段２３の作用により前記額縁部２１を前記枠体１１に向けて付勢することによって、当該額縁部２１を当該枠体１１に向けて突っ張って保持することができる。したがって、前記薄型映像設備９が前記載置盤２２に入れられて前記枠体１１が前記正当の位置に復帰した後には、前記付勢手段２３の付勢作用により前記枠体１１に向けて付勢されている前記額縁部２１と、前記枠体１１との間において、前記薄型映像設備９を揺動不能に保持することができる。
【００１３】
また、前記収納空間１０内には左右２つのリンク部材３，３がある。当該２つのリンク部材３，３の各々の一端は、前記載置盤２２における左右両側のうちの一方の側の前記支持軸２２１と枢接されており、他端は、前記枠体１１に枢接されている。したがって、本フレーム装置においては、前記枠体１１が前記２つのリンク部材３，３の前記他端を中心として倒れて開けられ、当該枠体１１が前記正当の位置から前方へ離脱することによって、前記２つのリンク部材３，３の前記一端を介して前記載置盤２２を引っ張って前方へ移動させることができる。また、前記枠体１１が直立して閉められ、当該枠体１１が前記正当の位置に復帰することによって、前記２つのリンク部材３，３の前記一端を介して前記載置盤２２を押して後方へ移動させることができる。
【００１４】
また、当該フレーム装置は取付手段４を更に備えており、当該取付手段４によって直立の平面上、例えば壁に設置されることができる。前記取付手段４は、図７〜図９に示すように、コ形部分４１と取付板４２とを備えている。前記コ形部分４１は、前後に延伸している左右２つの保持部材４１１，４１１と、当該左右２つの保持部材４１１，４１１の後端に連接している取付部材４１２とを有し、且つ、前記左右２つの保持部材４１１，４１１の前端で前記囲い枠１２の左右両側と互いに枢接していて当該枢接箇所にて当該囲い枠１２を保持している。前記左右２つの保持部材４１１，４１１の前端は、それぞれ前後方向の所定範囲内に伸縮可能に構成されており、且つ、その前端で前記囲い枠１２を前後揺動可能に保持している。これにより、前記囲い枠１２ないし本装置の前面開口１１０の上下または左右の角度について、必要に応じて調整することができる（図１０と図１１を参照）。前記取付部材４１２は前記取付板４２に取付られていて当該取付板４２によって直立の平面上に設置されることができる。また、前記取付部材４１２は、前後に延伸している支持軸４１３を介して、前記取付板４２の前面に対して当該取付板４２と対面したまま左右回動することができるように軸支されていて、前記取付板４２が直立の平面上に設置されるとき、前記取付部材４１２の前記取付板４２に対する回動によって、当該取付部材４１２ないし本装置の前面開口１１０の左右の高さが調整される（図１２参照）。
【００１５】
上述のように、本フレーム装置は、壁など直立の平面上に設置されるが、それに限らず、図１３のように台座５に立てられることもできる。
【００１６】
図１４〜図１６を参照しながら第２の実施形態例を説明する。この第２の実施形態例のフレーム装置における額縁部２１は、その前面が透明板２１３からなっており、当該透明板２１３から、当該額縁部２１の前記収納空間内にある静態的図像８を観賞することができる。当該額縁部２１は、４本の支持軸２２２によって前記囲い枠１２内に架設支持されている。前記４本の支持軸２２２は、各々、前記額縁部２１の左側または右側から前記囲い枠１２の内周面へ上下平行に延出している。このような４本の支持軸２２２によって、前記額縁部２１は、前記囲い枠１２内にて前後移動可能に架設支持されている。
【００１７】
この第２の実施形態例において、前記付勢手段２３は、前記額縁部２１の背面に設けられている上下２つのスプリング（図１６に示す）であり、第１の実施形態例における付勢手段２３に関して上述したのと同様に、前記枠体１１が前記正当の位置にあるときには、当該付勢手段２３により前記額縁部２１を前記枠体１１に突っ張って保持することができる。
【００１８】
また、本実施形態例においては、前記囲い枠１２に対して２枚の背板１３が取り付けられている。具体的には、図１６に示すように、当該２枚の背板１３は、これらの間にスリット状の開口１３０が形成されつつ、前記囲い枠１２の前記後方開口における上下部分を遮蔽するように、前記囲い枠１２に取付られている。
【００１９】
また、本実施形態例においては、前記取付手段４は前記コ形部分４１だけある。当該取付手段４の取付部材４１２は、前記２枚の背板１３の間である前記スリット状の開口１３０に配設され、当該取付手段４の左右２つの保持部材４１１，４１１の前端は、前記囲い枠１２の内周面に固定されている。本実施形態例では、このような構成の取付手段４により前記囲い枠１２を保持する。
【００２０】
図１７と図１８に示すのは第３の実施形態例である。本実施形態例は、前記第２の実施形態例とほぼ同様の構成を有するが、そのコ形部分４１の左右２つの保持部材４１１，４１１の前端は、それぞれ前後方向に伸縮可能に構成されているうえに、当該前端から前記囲い枠１２の内周面へ突出している枢軸４１１１が当該囲い枠１２の内周面に対して嵌まり込むことによって、枢支されている。これにより、囲い枠１２ないし本装置の前面開口１１０が前後方向に少しずつ回動することができるようになっている。したがって、本実施形態例のフレーム装置は、前記コ形部分４１を介して壁や他の直立の平面に固定した場合、前記枢軸４１１１を軸心に徐々に上下揺動して観賞角度を調整することができるのみならず、前記左右２つの保持部材４１１，４１１の前端の伸縮によって前後方向の調整もできる。本実施形態例の他の部位の構成については、第２の実施形態例に関して上述したのと同様である。
【００２１】
図１９〜図２１に示すのは第４の実施形態例である。この第４の実施形態例においては、前記左右２つのリンク部材３，３の代りに、左右２つの２節リンクアーム６，６が設けられている。当該左右２つのリンクアーム６，６については、各々、その全体の一端としての第１節部６１の先端６１０が支点として前記囲い枠１２の左右両側のうちの一方の側の底部に枢設されており、その全体の他端としての第２節部６２の後端が前記枠体１１の左右両側のうちの一方の中央近くに枢設されている。前記第１節部６１の前端の一部は弧形になっており、当該弧形部分の側縁に沿って弧形溝６１１が形成されている。また、本実施形態例では、前記載置盤２２は、内外２つの支持軸２２３，２２４により前記第１節部６１の前記弧形溝６１１を介して前記案内溝１２１に規制支持されており、前後方向の所定範囲内だけに移動可能になっている。前記支持軸２２３，２２４は、前記載置盤２２において前記囲い枠１２に対向する表面に設けられており、当該囲い枠１２の内周面の下方に形成された案内溝１２１に入り込んでいる。そして、支持軸２２４のみが前記弧形溝６１１を通過して案内溝１２１に入り込んでいる。
【００２２】
本実施形態例では、前記枠体１１の開閉に従って、前記２つのリンクアーム６，６の前記弧形溝６１１を介して前記載置盤２２を引っ張って前方へ又は押して後方へ移動させることができる。加えて、本実施形態例では、図２０に示すように、前記２つのリンクアーム６，６の前記一端（先端６１０）を回転中心として前記枠体１１が倒れて開けられ、当該枠体１１が前記正当の位置から前方へ離脱すると、図２１に示すように、前記リンクアーム６，６の前記第２節部６２が前記第１節部６１との枢設点から折られ、前記枠体１１が直立した状態で下方に降りることができる。したがって、本実施形態例のフレーム装置は、前記薄型映像設備９を本装置内に搭載または設置する際や、前記薄型映像設備９を本装置から取り出す際に、開けられた枠体１１が邪魔にならないという利点を更に有する。
【産業上の利用可能性】
【００２３】
上述の構成を有する本発明に係るフレーム装置は、静態的図像を展示する額縁としても、動態内容を表示する薄型映像設備用の取付機構としても、使用することができ、従って、実用性と装飾性の両方に富む。
【００２４】
以上説明した実施の形態は、あくまでも本発明の技術的内容を明らかにする意図の下においてなされたものであり、本発明は、そうした具体例に限定して狭義に解釈されるものではなく、本発明の精神とクレームに述べられた範囲で、いろいろと変更して実施できるものである。
【図面の簡単な説明】
【００２５】
【図１】本発明のフレーム装置の第１の実施形態例の斜視図
【図２】前記第１の実施形態例の内部構成図
【図３】図２の側断面図
【図４】前記第１の実施形態例において、薄型映像設備が載置されている場合の側断面図
【図５】前記第１の実施形態例における額縁部の上面図
【図６】前記第１の実施形態例の、枠体が正当の位置にある場合の側断面図
【図７】図１の側面図
【図８】図１の上面図
【図９】前記第１の実施形態例における取付手段の斜視図
【図１０】前記第１の実施形態例の、上下揺動の場合の側面図
【図１１】前記第１の実施形態例の、左右揺動の場合の上面図
【図１２】前記第１の実施形態例の、左右回動の場合の前面図
【図１３】前記第１の実施形態例が台座で立てられている場合の説明図
【図１４】本発明の第２の実施形態例の斜視図
【図１５】前記第２の実施形態例における額縁部の構成図
【図１６】前記第２の実施形態例の分解構成図
【図１７】本発明の第３の実施形態例の側断面図
【図１８】前記第３の実施形態例の、上下揺動の場合の側面図
【図１９】本発明の第４の実施形態例の側断面図
【図２０】前記第４の実施形態例の、枠体が正当の位置から離れた場合の側断面図
【図２１】前記第４の実施形態例の、枠体が正当の位置から離脱して直立に下へ降りた場合の側断面図
【符号の説明】
【００２６】
１０      収納空間
１１      枠体
１１０      開口
１１２      装飾枠
１２      囲い枠
１２１，１２２      案内溝
１３      背板
１３０      スリット状の開口
２      保持手段
２１      額縁部
２１１      開口
２１２      スライド溝
２１３      透明板
２２      載置盤
２２１，２２２，２２３，２２４      支持軸
２３      付勢手段
３      リンク部材
４      取付手段
４１      コ形部分
４１１      保持部材
４１１１      枢軸
４１２      取付部材
４１３      支持軸
４２      取付板
５      台座
６      リンクアーム
６１      第１節部
６１０      第１節部の先端
６１１      弧形溝
６２      第２節部
８      静態的図像
９      薄型映像設備
【図１】
2004260819.tif 000003
【図２】
2004260819.tif 000004
【図３】
2004260819.tif 000005
【図４】
2004260819.tif 000006
【図５】
2004260819.tif 000007
【図６】
2004260819.tif 000008
【図７】
2004260819.tif 000009
【図８】
2004260819.tif 000010
【図９】
2004260819.tif 000011
【図１０】
2004260819.tif 000012
【図１１】
2004260819.tif 000013
【図１２】
2004260819.tif 000014
【図１３】
2004260819.tif 000015
【図１４】
2004260819.tif 000016
【図１５】
2004260819.tif 000017
【図１６】
2004260819.tif 000018
【図１７】
2004260819.tif 000019
【図１８】
2004260819.tif 000020
【図１９】
2004260819.tif 000021
【図２０】
2004260819.tif 000022
【図２１】
2004260819.tif 000023